(57)【特許請求の範囲】
【請求項１】
原稿を自動搬送し、移動原稿読取部上を移動させる自動原稿搬送手段と、
原稿が載置される静止原稿読取部を覆う原稿押さえ手段と、
前記移動原稿読取部上を移動している原稿の画像を読み取るときは、前記移動原稿読取部の下方に静止して、前記移動原稿読取部を介して該原稿に露光し、前記静止原稿読取部上に載置された原稿の画像を読み取るときは、前記静止原稿読取部の下方を移動して、前記静止原稿読取部を介して該原稿に走査露光する光源機構と、
前記光源機構からの露光による原稿からの反射光を受光し、原稿の画像を読み取る撮像手段と、
前記光源機構を制御する制御部と、を有し、
前記自動原稿搬送手段が前記移動原稿読取部に対して開放した状態で、前記原稿押さえ手段が前記静止原稿読取部に対して開閉可能に設けられた画像読取装置において、
前記静止原稿読取部上に載置された原稿の画像を読み取るとき、前記移動原稿読取部から前記光源機構の光が漏れないようにすべく、前記制御部は、
前記移動原稿読取部側から前記静止原稿読取部側へ前記光源機構を移動させるとともに、前記移動原稿読取部側から前記静止原稿読取部側へと移動する移動開始位置から所定距離移動したときに、または、前記移動原稿読取部側から前記静止原稿読取部側へと移動する移動開始から所定時間経過後に、前記光源機構を点灯させるように制御する
ことを特徴とする画像読取装置。
【請求項２】
前記制御部は、前記光源機構の移動速度、前記光源機構の移動開始位置、あるいは前記原稿の読取倍率に応じて、前記所定距離または前記所定時間を変更することを特徴とする請求項１に記載の画像読取装置。
【請求項３】
原稿を自動搬送し、移動原稿読取部上を移動させる自動原稿搬送手段と、
原稿が載置される静止原稿読取部を覆う原稿押さえ手段と、
前記移動原稿読取部上を移動している原稿の画像を読み取るときは、前記移動原稿読取部の下方に静止して、前記移動原稿読取部を介して該原稿に露光し、前記静止原稿読取部上に載置された原稿の画像を読み取るときは、前記静止原稿読取部の下方を移動して、前記静止原稿読取部を介して該原稿に走査露光する光源機構と、
前記光源機構からの露光による原稿からの反射光を受光し、原稿の画像を読み取る撮像手段と、
前記光源機構の位置を検出する光源位置検出手段と、
前記光源機構を制御する制御部と、を有し、
前記自動原稿搬送手段が前記移動原稿読取部に対して開放した状態で、前記原稿押さえ手段が前記静止原稿読取部に対して開閉可能に設けられた画像読取装置において、
前記静止原稿読取部上に載置された原稿の画像を読み取るとき、前記移動原稿読取部から前記光源機構の光が漏れないようにすべく、前記制御部は、
前記移動原稿読取部側から前記静止原稿読取部側へ前記光源機構を移動させるとともに、前記光源位置検出手段による検出結果に基づいて、前記光源機構を点灯させるよう制御する
ことを特徴とする画像読取装置。
【請求項４】
前記光源位置検出手段は、前記移動原稿読取部と前記静止原稿読取部との間を移動している前記光源機構を検出する位置に設けられることを特徴とする請求項３に記載の画像読取装置。
【発明の詳細な説明】
【０００１】
【発明の属する技術分野】
本発明は、固定した原稿を読み取る静止原稿読取部と、原稿を移動させながら読み取る移動原稿読取部とを備えた画像読取装置に関し、特に移動原稿読取部の自動原稿搬送手段を開放させたときに静止原稿読取部で発光した読取用ランプの光が漏れないようにした画像読取装置、およびそれを用いた画像形成装置に関する。
【０００２】
【従来の技術】
画像読取装置は、紙やフィルム等の原稿に形成された画像を読み取り出力する装置であり、スキャナとして単独で、あるいはファクシミリ装置や複写機等に組み込まれて用いられている。画像読取装置の画像読取機構としては、原稿に光を照射し、読取対象の画像で反射された反射光を検出して画像を読み取る方式のものが広く普及しており、読み取った画像をスキャナの場合デジタルデータとして保持し、編集したり再利用可能とし、また複写機の場合は読み取った画像を新たな紙やフィルム等に形成する。
【０００３】
次に、自動原稿読取機構を備えた複写機を例にして画像読取装置について説明する。
【０００４】
自動原稿読取機構を備えた複写機は、プラテンガラス上に原稿を載せ、画像読取部が移動して原稿を読み取る静止原稿読取部と、原稿を送る自動原稿搬送手段を有し、固定した画像読取部に自動原稿搬送手段により原稿を送り込み、原稿を画像読取部により読み取る移動原稿読取部とを備えている。
【０００５】
そして、自動原稿読取機構を用いるときは、自動原稿搬送手段に原稿をセットし、自動的に原稿を取り込んで読み取らせ複写を行ない、また静止原稿読取部で複写をする際には、プラテンガラス上に原稿を載せ、その原稿に押さえ手段であるプラテンを被せてプラテンガラス上に原稿を固定して行なう。ところが、プラテンと移動原稿読取部の自動原稿搬送手段とが一体化しているために、プラテンが重くなり、操作上不便であった。また、プラテンガラス上にプラテンを被せる操作を行なう毎に、移動原稿読取部の自動原稿搬送手段がプラテンとともに開閉されるため、自動原稿搬送手段に衝撃が加えられ、自動原稿搬送手段の故障の原因にもなりかねなかった。
【０００６】
そこで、プラテンと移動原稿読取部の自動原稿搬送手段とを分離し、プラテンガラス上に載せた原稿を複写する際には、自動原稿搬送手段とは別にプラテンのみ操作して、プラテンガラス上に置かれた原稿を押さえるようにした複写機の構成が考えられている。
【０００７】
【発明が解決しようとする課題】
しかしながら、このようなプラテンと移動原稿読取部とを分離して、個別に操作できる構成の複写機では、以下のような問題があった。
【０００８】
すなわち移動原稿読取部においては、原稿を搬送する自動原稿搬送手段と、自動原稿搬送手段によって送られた原稿を読み取るために光を照射する光源機構とが画像読取用の窓を介して対向しており、その画像読取用の窓が、静止原稿読取部のプラテンガラスの近傍に形成されている。したがって、静止原稿読取部で原稿を読み取ると、光源機構が静止原稿読取部の下部を移動し、原稿を照射するための光源機構のランプの光が画像読取用の窓を通して外部に漏れてしまうことがある。
【０００９】
すると、壁などがランプによって照らされて不要に明るくなったり、操作者や周囲の人の眼に読取用ランプの強い光が入ってしまうなどの不都合が生じていた。
【００１０】
【課題を解決するための手段】
本発明は上記の目的を達成するために、次のように画像読取装置およびそれを用いた画像形成装置を構成した。
（１）原稿を自動搬送し、移動原稿読取部上を移動させる自動原稿搬送手段と、原稿が載置される静止原稿読取部を覆う原稿押さえ手段と、前記移動原稿読取部上を移動している原稿の画像を読み取るときは、前記移動原稿読取部の下方に静止して、前記移動原稿読取部を介して該原稿に露光し、前記静止原稿読取部上に載置された原稿の画像を読み取るときは、前記静止原稿読取部の下方を移動して、前記静止原稿読取部を介して該原稿に走査露光する光源機構と、前記光源機構からの露光による原稿からの反射光を受光し、原稿の画像を読み取る撮像手段と、を有し、前記自動原稿搬送手段が前記移動原稿読取部に対して開放した状態で、前記原稿押さえ手段が前記静止原稿読取部に対して開閉可能に設けられた画像読取装置において、前記自動原稿搬送手段が前記移動原稿読取部に対して開放状態であって、前記静止原稿読取部上に載置された原稿の画像を読み取るときは、前記移動原稿読取部から前記光源機構の光が漏れないように構成したことを特徴とする画像読取装置。
【００１１】
なお、本明細書において、「光が漏れない」とは、完全に光が外部への漏れを生じない状態であることが最も好ましいが、弱い光が若干外部に漏れた場合も含んでおり、この場合について具体的に言えば、自動原稿搬送手段を開放した状態で、静止原稿読取部上に載置された原稿の画像を読み取る際に、移動原稿読取部を介して測定される照度が、５０００（ｌｘ）以下（好ましくは、１０００（ｌｘ）以下）である。
【００１２】
（２）前記静止原稿読取部上に載置された原稿の画像を読み取るとき、前記光源機構は、前記移動原稿読取部側から前記静止原稿読取部側へ移動するとともに、前記光源機構の点灯タイミングを、前記移動原稿読取部から前記光源機構の光が漏れないように制御することを特徴とする（１）に記載の画像読取装置。
（３）前記光源機構が前記移動原稿読取部側から前記静止原稿読取部側へと移動する移動開始位置から所定距離移動したときに、または、前記光源機構が前記移動原稿読取部側から前記静止原稿読取部側へと移動する移動開始から所定時間経過後に、前記光源機構を点灯させることを特徴とする（２）に記載の画像読取装置。
（４）前記所定距離、又は前記所定時間は、前記光源機構の移動速度、前記光源移動開始位置、あるいは読取倍率に応じて変更することを特徴とする（３）に記載の画像読取装置。
（５）移動している前記光源機構を検出する光源位置検出手段を、所定位置に配置し、前記光源位置検出手段による検出結果に基づいて、前記光源機構の点灯を制御することを特徴とする（２）に記載の画像読取装置。
（６）前記所定位置は、前記光源機構が前記移動原稿読取部と前記静止原稿読取部との間を移動しているときに前記光源機構を検出する位置であることを特徴とする（５）に記載の画像読取装置。
（７）原稿を自動搬送し、移動原稿読取部上を移動させる自動原稿搬送手段と、原稿が載置される静止原稿読取部を覆う原稿押さえ手段と、前記移動原稿読取部上を移動している原稿の画像を読み取るときは、前記移動原稿読取部の下方に静止して、前記移動原稿読取部を介して該原稿に露光し、前記静止原稿読取部上に載置された原稿の画像を読み取るときは、前記静止原稿読取部の下方を移動して、前記静止原稿読取部を介して該原稿に走査露光する光源機構と、前記光源機構からの露光による原稿からの反射光を受光し、原稿の画像を読み取る撮像手段と、を有し、前記自動原稿搬送手段が前記移動原稿読取部に対して開放した状態で、前記原稿押さえ手段が前記静止原稿読取部に対して開閉可能に設けられた画像読取装置において、前記移動原稿読取部を遮光状態にする遮光位置と非遮光状態にする非遮光位置との間を変位可能に設けられたシャッター手段を有し、前記移動原稿読取部上を移動している原稿の画像を読み取るときは、前記シャッター手段を非遮光位置に位置させ、前記静止原稿読取部上に載置された原稿の画像を読み取るときは、前記シャッター手段を遮光位置に位置させるようにしたことを特徴とする画像読取装置。
（８）前記シャッター手段は、前記光源機構の移動に連動して変位可能であることを特徴とする（７）に記載の画像読取装置。
（９）前記シャッター手段は、遮光位置側に弾性部材によって付勢され、前記光源機構が、前記静止原稿読取部側から前記移動原稿読取部側への移動に伴って、前記弾性部材による付勢に抗して、前記シャッター手段を非遮光位置に位置させることを特徴とする（８）に記載の画像読取装置。
（１０）前記シャッター手段は、変位に伴い前記移動原稿読取部をクリーニングするクリーニング部材を有することを特徴とする（７）〜（９）のいずれか１つに記載の画像読取装置。
（１１）前記シャッター手段は、前記移動原稿読取部に対して、前記自動原稿搬送手段とは反対側に設けられていることを特徴とする（７）〜（１０）のいずれか１つに記載の画像読取装置。
（１２）原稿を自動搬送し、移動原稿読取部上を移動させる自動原稿搬送手段と、原稿が載置される静止原稿読取部を覆う原稿押さえ手段と、前記移動原稿読取部上を移動している原稿の画像を読み取るときは、前記移動原稿読取部の下方に静止して、前記移動原稿読取部を介して該原稿に露光し、前記静止原稿読取部上に載置された原稿の画像を読み取るときは、前記静止原稿読取部の下方を移動して、前記静止原稿読取部を介して該原稿に走査露光する光源機構と、前記光源機構からの露光による原稿からの反射光を受光し、原稿の画像を読み取る撮像手段と、を有し、前記自動原稿搬送手段が前記移動原稿読取部に対して開放した状態で、前記原稿押さえ手段が前記静止原稿読取部に対して開閉可能に設けられた画像読取装置において、前記光源機構は、前記光源機構から出射する光が、前記移動原稿読取部側から前記静止原稿読取部側への方向に最大の光量成分を有していることを特徴とする画像読取装置。
（１３）前記光源機構は、指向性を有するキセノンランプ、あるいはハロゲンランプと指向性を持たせるための反射鏡とを有するものであることを特徴とする（１２）に記載の画像読取装置。
（１４）原稿を自動搬送し、移動原稿読取部上を移動させる自動原稿搬送手段と、原稿が載置される静止原稿読取部を覆う原稿押さえ手段と、前記移動原稿読取部上を移動している原稿の画像を読み取るときは、前記移動原稿読取部の下方に静止して、前記移動原稿読取部を介して該原稿に露光し、前記静止原稿読取部上に載置された原稿の画像を読み取るときは、前記静止原稿読取部の下方を移動して、前記静止原稿読取部を介して該原稿に走査露光する光源機構と、前記光源機構からの露光による原稿からの反射光を受光し、原稿の画像を読み取る撮像手段と、を有し、前記自動原稿搬送手段が前記移動原稿読取部に対して開放した状態で、前記原稿押さえ手段が前記静止原稿読取部に対して開閉可能に設けられた画像読取装置において、シェーディング補正するための基準板と、前記撮像手段により読み取った画像データに対して、前記撮像手段によって読み取られた前記基準板からの反射光のデータに基づいて、シェーディング補正をするシェーディング補正手段とを有し、前記基準板を、前記移動原稿読取部と前記静止原稿読取部との間に配置したことを特徴とする画像読取装置。
（１５）（１）〜（１４）に記載の原稿読取装置を有し、該原稿読取装置によって読み取られた画像データに基づいて、記録材上に画像を形成する画像形成装置。
【００１３】
【発明の実施の形態】
以下、本発明にかかる画像読取装置の実施の形態を図面を参照して説明する。
【００１４】
図７に、画像読取装置２を備えた複写機（画像形成装置）１００の構成を示す。
【００１５】
複写機１００は、画像読取装置２と、画像形成部２４と、給紙部２６と、定着部２８と、排紙部３０等から構成されている。画像形成部２４は、感光ドラム４０とトナー供給部４２等からなり、感光ドラム４０に露光装置４４により所定の潜像が形成され、トナーにより現像された画像が給紙部２６から送られた用紙の紙面上に形成される。画像が形成された用紙は、定着部２８で定着された後、排紙部３０から排出される。
【００１６】
画像読取装置２は、複写器１００の上部に設置してあり、固定された原稿を読み取る静止原稿読取部４と、原稿を移動させながら読み取る移動原稿読取部５を有している。静止原稿読取部４は、原稿を載置するプラテンガラス６であり、このプラテンガラス６の下方に画像を照射する光源機構８を移動可能に備え、またプラテンガラス６の上部には原稿を押さえるプラテン１０が設けられている。
【００１７】
光源機構８は、読取用のランプ１２と、ミラー１４類を備え、プラテンガラス６に沿って移動しながら原稿を読み取り、データをＣＣＤ等の撮像手段としての光電変換器１６に送る。そして、光電変換器１６で、画像情報を電気信号に変換して制御部２２を介して画像形成部２４等に送り出す。又光源位置検出手段であるセンサ１８が、このセンサ１８に光源機構８が感知されたときにランプ１２が点灯しても、ランプ１２から発せられる光が窓９から漏れない（完全に光が外部への漏れを生じない状態であることが最も好ましいが、操作者にとって、眼に弱い光が入ったとしても大きな問題がないことから、弱い光が窓９から外部に漏れた場合でもよく、この場合、窓９とプラテンガラス６とを接近させることができ、装置の小型化につながる。なお、この場合について具体的に言えば、自動原稿搬送手段７を開放した状態で、プラテンガラス６上に載置された原稿の画像を読み取る際に、窓９を介して測定される照度が、５０００（ｌｘ）以下（好ましくは、１０００（ｌｘ）以下）となるように、センサ１８が設けられている。
【００１８】
移動原稿読取部５は、ガラス等の光透過性物質で構成された窓９である。そして、自動原稿搬送手段７により原稿が窓９上を搬送され、この搬送されている（移動している）原稿の画像を、窓９の下方に光源機構８が移動してきて静止して、読み取る。なお、この窓９は、ガラス等の光透過性物質で構成された透明部材でなくとも、開口部として構成してもよい。また、自動原稿搬送手段７は、プラテン１０とは別に、複写機１００に開閉自在に取り付けられている。すなわち、本実施の形態では、自動原稿搬送手段７とプラテン１０とは、互いに独立して開閉することができるように設けられているが、自動原稿搬送手段７が窓９に対して開放した状態で、プラテン１０がプラテンガラス６に対して開閉自在に設けられていればよい。
【００１９】
次に、画像読取装置２の読取動作について説明する。
【００２０】
移動原稿読取部５での原稿読み取りは、まず自動原稿搬送手段７を回動させて複写機１００の上面に配置する。そして原稿を自動原稿搬送手段７にセットし、読取開始ボタンの押圧等により読み取りを開始させる。すると、光源機構８が自動原稿搬送手段７の下部に移動し、窓９を介して対向する。
【００２１】
自動原稿搬送手段７が駆動して原稿を引き入れながら窓９の上面に移動させると、光源機構８の読取用のランプ１２が点灯して原稿に光が照射され、その反射光がミラー１４によって光電変換器１６に送られ、画像の電子信号が得られる。
【００２２】
また静止原稿読取部４にて原稿を読み取る場合は、原稿をプラテンガラス６上に載置し、原稿押さえ手段としてのプラテン１０を閉め原稿を押さえてプラテンガラス６上に固定する。読取開始ボタン等の押圧により読み取りを開始させると、光源機構８がプラテンガラス６の下部を一定速度で移動し、順次ランプ１２からの光が原稿に当たり、その反射光が光電変換器１６に送られ、画像の電子信号が得られる。
【００２３】
その際、光源機構８に設置してある読取用のランプ１２は、窓９からランプ１２の光が漏れない位置で点灯する。つまり、静止原稿読取部４には、位置感知用のセンサ１８が設置してあるので、光源機構８の作動が開始してから所定位置に到達するとセンサ１８がそれを感知し、センサ１８からの感知信号を得ると、制御部２２がランプ点灯スイッチをオンして、ランプ１２が点灯する。
【００２４】
図１にタイムチャートを示す。図１に示すように、読み取り動作が開始されると、光源機構８が移動を開始し（ａ）、センサ１８が光源機構８を感知した位置（ｂ）でランプ点灯の信号が送られ、その時点でランプ１２が点灯する（ｃ）。センサ１８は、ランプ１２から発せられる光が窓９から漏れない位置で光源機構８を感知するように設置してあるため、この位置でランプ１２が点灯しても窓９から光が漏れることがない。
【００２５】
これにより、静止原稿読取部４で原稿を読み取るためのランプ１２が点灯した場合でも、ランプ１２からの不必要な光が窓９から漏れることがない。
【００２６】
なお、上記例では、センサ１８の位置をランプ１２からの光が漏れない位置に設け、移動中の光源機構８をセンサ１８で検出し、その結果直ちにランプ１２の点灯をするようにしたが、ランプ１２の点灯タイミングを制御できればよく、例えば、センサ１８を、図７においてさらに左側に配置し、光源機構８をセンサ１８で検出した後、所定時間経過後（あるいは、光源機構８が所定距離移動した後）にランプ１２を点灯させるよう制御してもよい。
【００２７】
すなわち、図２に示すように光源機構８の作動開始の信号が発せられて移動を開始すると（ａ）、モーターの作動信号のパルス等をその作動開始からカウントし（ｂ）、所定数カウントされた時点で（ｃ）、読取用のランプ１２の点灯を行なわせる（ｄ）。このような処理によれば、光源機構８の移動速度は予め設定されていることから、所定位置、すなわち窓９から光が漏れない位置でランプ１２を点灯させることができる。さらに、上記例では、光源機構８からの光が窓９から漏れることを防止することとしたが、窓９に限らず、他の箇所からの漏れを防止するように設定してもよい。
【００２８】
更に、上記例で位置あるいは経過時間等からランプ１２の点灯を制御したが、画像倍率や読取ピッチの変更等により読取速度、つまり光源機構８の移動速度が変化した場合に、作動開始位置がずれることがあるので、そのときは、変更された作動開始位置に基づいて点灯開始位置や時間を調整する。これは、例えば画像倍率が変更された場合には、光源機構８の移動速度が変更し、特に移動速度が上昇したときは移動開始から光源機構８が所定の移動速度に達するまでに時間がかかることから、その時の処理として光源機構８の作動開始位置を変えて原稿の読取開始時に所定速度に達するようにしている等のためである。このような処理を実施しているときは、光源機構８の位置や作動時間のカウント開始を変更することが必要となるためである。これは画像倍率の変更だけでなく、スキャナ等において読取ピッチを変更した場合も同様である。
【００２９】
次に他の例について説明する。
【００３０】
図３に画像読取装置２の他の例を示す。図３に示すように、この例では窓９を遮光状態にするシャッタ手段としてのシャッター１１が設けられている。シャッター１１は図３の水平方向に摺動自在に取り付けられ、バネ１３で窓９を閉鎖して遮光する方向に付勢されている。また、シャッター１１には、突起１５が設けてあり、光源機構８が窓９の下部に移動すると、突起１５が光源機構８に接触して開放方向に付勢されて非遮光状態にして開放される。そして、光源機構８が静止原稿読取部４に移動すると、バネ１３により閉鎖される。更に、シャッター１１にはクリーニング部材としての布１７が設けてあり、シャッター１１が移動する毎に窓９の内側を払拭するようになっている。
【００３１】
このように構成すると、移動原稿読取部５にて原稿を読み取る場合は、光源機構８が窓９の下部に移動して来るので、シャッター１１が移動して窓９が開放され、自動原稿搬送手段７（図７参照）によって搬送されてきた原稿を光源機構８が照射し読み取らせ、一方静止原稿読取部４にて原稿を読み取るように設定されると、光源機構８が静止原稿読取部４の下部に移動するので、シャッター１１がバネ１３に付勢されて窓９を閉じる。したがって、静止原稿読取部４での読取が行なわれ光源機構８のランプ１２が点灯してもシャッター１１により窓９が閉鎖されているため、窓９からランプ１２の光が漏れることがない。更に、シャッター１１の開閉により窓９の内側が布１７により払拭されるため、常に清浄に保つことができる。尚、クリーニング部材としては布の他、合成布、合成皮革、植毛材でもよい。
【００３２】
又、他の例について説明する。
【００３３】
この例は、図４に示すように、指向性を有するランプ１２を用いる。すなわち、ランプ１２から出射され原稿を照射する光の照射角度が６０°から８０°に規制されたものが好ましい。このようなランプ１２としてキセノンランプがあり、キセノンランプは、それ自体、指向性を有しており、照射角度が規制することができるので、好ましい。しかしながら、ランプ１２にハロゲンランプを用いた場合は、光源機構８として、ハロゲンランプの周囲に指向性を持たせるための反射鏡（「カバー」ともいう）を設けて照射角度を規制してもよい。そして、このような照射角度が規制された光源機構８から出射する光（原稿を照射する光）が、窓部９側からプラテンガラス６への方向に最大光量成分を有しているように、光源機構８を配置する。したがって、プラテンガラス６上の原稿を読み取る際には、光源機構８から原稿に向けて出射される光は、プラテンガラス６側へと向いているため、自動原稿搬送手段７が開放されていたとしても、窓９から漏れることはない。
【００３４】
ランプ１２としては、キセノンランプ、ハロゲンランプ等が使用される。キセノンランプの場合は、照射方向が狭く特定されることから、ランプを所望の方向に向けることにより、照射方向を所望の方向に設定する。また、ハロゲンランプにおいては、全周に照射するためカバー等を設けて照射方向を特定する。
【００３５】
更に、ランプ１２に取り付けられたカバー等を回動可能とし、移動原稿読取部５と静止原稿読取部４でのそれぞれの読取動作において、ランプの照射方向を変更できるようにしてもよい。例えば、移動原稿読取部５で原稿を読み取るときは、カバーの開口方向を図の左方に向け、一方静止原稿読取部４で原稿を読み取るときはカバーの開口方向を右方に向けるようにする。
【００３６】
このようにすると、ランプ１２からの光の照射方向を移動原稿読取部５での読取動作と静止原稿読取部４での読取動作で異ならせることができ、静止原稿読取部４での読取時に移動原稿読取部５の方向へ光が照射されることがなく、移動原稿読取部５の窓９から光が漏れることがない。
【００３７】
又、他の例について説明する。
【００３８】
この例は、図６に示すように移動原稿読取部５と静止原稿読取部４との間にランプ１２のシェーディング補正に用いられる基準板としての白色板２０を所定の長さにわたって設けることとした。白色板２０は、ランプ１２の光を反射させる反射板であり、反射した光を受光した受光部（光電変化器１６）で感度等を変更して、受光部での反射光の感度が均一になるように調整するための基準板である。ここでシェーディング補正とは、ランプ１２の長さ方向に生じる光量の変動を補正する方法であり、シェーディング補正手段は、均一な反射面で反射した反射光が受光部で均一な照度となるように受光部の感度を調整する調整回路（図示せず）を備えて構成されている。例えば複写開始のスイッチが入られると、光源機構８を白色板２０の下部で点灯させ、複写動作の前にシェーディング補正を行なう。このようにシェーディング補正により受光部の感度を変更することにより、ランプ１２の長さ方向に沿った光量変動がある場合でも原稿を均一な濃度で読み取ることができる。
【００３９】
この白色板２０は、光源機構８の移動方向において所定の長さを有しているので、移動原稿読取部５と静止原稿読取部４との間に所定の間隔が形成されることとなる。これにより静止原稿読取部４での読み取りにおいてランプ１２を点灯させても、移動原稿読取部５と静止原稿読取部４とは所定の距離をもって配置され、ランプ１２の光が直接移動原稿読取部５に到達しない、あるいは到達する光量が弱い位置で点灯することから、不要な光が窓９から漏れない。すなわち、図６の▲１▼の位置から▲２▼の位置にランプ１２が移動したときに点灯すると、光が窓９から漏れるが、▲２▼と▲３▼の間の位置にて点灯すると、窓９への入射角度が小さく、かつ遠くなることから光が窓９から漏れることはない。
【００４０】
したがって、移動原稿読取部５と静止原稿読取部４との間に取り付けられた白色板２０によりランプ１２の照度むらを調整でき、しかも白色板２０により窓９からの光の漏れを防止できる。
【００４１】
なお、上記例では複写機１００を例にして画像形成装置について説明したが、本発明は、これに限らず他の装置でもよい。また、画像読取装置としては、複写機内部に備えられた画像読取装置以外に、スキャナーやファクシミリ装置等で用いることもできる。
【００４２】
【発明の効果】
以上説明したように、本発明によれば、移動原稿読取部の自動原稿搬送手段と静止原稿読取部における原稿の押さえ部とを分割し、個別に開閉するようにした場合でも、移動原稿読取部から静止原稿読取部での読み取り用の光が漏れることがない。
【図面の簡単な説明】
【図１】本発明のランプの点灯を示すタイムチャートである。
【図２】本発明のランプの点灯を示すタイムチャートである。
【図３】画像読取装置の他の例を示す図である。
【図４】ランプの他の例を示す図である。
【図５】画像読取装置の他の例を示す図である。
【図６】画像読取装置の他の例を示す図である。
【図７】本発明による画像読取装置を備えた複写機を示す図である。
【符号の説明】
２  画像読取装置
４  静止原稿読取部
５  移動原稿読取部
６  プラテンガラス
７  自動原稿搬送手段
８  光源機構
９  窓
１０  プラテン
１１  シャッター
１２  ランプ
１３  バネ
１４  ミラー
１５  突起
１６  光電変換器
１７  布
１８  センサー
２０  白色板
２２  制御部
２４  画像形成部
２６  給紙部
２８  定着部
３０  排紙部
４０  感光ドラム
４２  トナー供給部
【図１】
0004395951.tif 000002
【図２】
0004395951.tif 000003
【図３】
0004395951.tif 000004
【図４】
0004395951.tif 000005
【図５】
0004395951.tif 000006
【図６】
0004395951.tif 000007
【図７】
0004395951.tif 000008